(57)【要約】【課題】パソコン本体に加わる衝撃や長期にわたる振動によってもバッテリーパック端子電極とコネクタ端子電極との安定した接続を確保することができるバッテリーコネクタを提供することを目的とする。【解決手段】携帯型情報処理装置に電力供給するバッテリーパックとを接続するバッテリーコネクタ１０であって、バッテリーパックと携帯型情報処理装置本体の電気回路とを電気的に接続するためのコネクション部１１と、コネクション部をバッテリーコネクタの取り付けベース１５面に対して可動する構造を有する軸部１２，弾性体部１４から成る可動部と、を有するバッテリーコネクタであり、バッテリーパック端子電極と接続するフローティング作用によってパソコン本体に加わる衝撃や振動によってもバッテリーパック端子電極とバッテリーコネクタ端子電極との安定した接続を確保することができる。【選択図】図１
2008097961.tif 000002
【特許請求の範囲】
【請求項１】
携帯型情報処理装置に電力供給するバッテリーまたはバッテリーパックとを接続するバッテリーコネクタであって、
前記バッテリーまたはバッテリーパックと前記携帯型情報処理装置本体の電気回路とを電気的に接続するためのコネクション部と、
前記コネクション部を支持し、当該コネクション部を前記バッテリーコネクタの取り付け面に対して可動する構造を有する可動部と、
から成ることを特徴とするバッテリーコネクタ。
【請求項２】
前記可動部は、
前記コネクション部の穴部を通して当該コネクション部を支持する軸部と、
前記携帯型情報処理装置本体に取り付けるための取り付けベースと前記軸部とに挟持され当該軸部を支持する弾性体部と、
から成ることを特徴とする請求項１に記載のバッテリーコネクタ。
【請求項３】
前記軸部は軸部Ａと軸部Ｂによって構成され、嵌合またはネジによる締結によって一体に組立てられることを特徴とする請求項２に記載のバッテリーコネクタ。
【発明の詳細な説明】
【技術分野】
【０００１】
本発明は、ノートパソコンのような携帯型の情報処理装置（以下、総称してノートパソコン）に電力供給するバッテリーあるいはバッテリーパックとを接続するバッテリーコネクタに関するものである。
【背景技術】
【０００２】
近年、ノートパソコンはその携帯性のために屋外に持ち出す機会も多い。従って軽量、コンパクト以外にも堅牢性も要求される。ノートパソコンに誤って衝撃を加えたり、ノートパソコンに長期にわたって振動が加わっても正しく動作するといったことも重要な要件なる。
【０００３】
ノートパソコンをＡＣ電源で駆動している場合に停電が発生しても、ノートパソコンに内蔵のバッテリーがＡＣ電源に代わってバックアップ電源として電力供給するので支障は少ない。しかし、屋外などでバッテリーによる駆動で使用している最中に、ノートパソコンからバッテリーが外れてしまって予期せぬ電力供給停止が発生してしまうと、時には内蔵のハードディスク（ＨＤＤ）の磁性面に記録されているシステムプログラムやデータが破壊され、ノートパソコンが正しく動作しない、あるいはＨＤＤに記録されていたデータを読み出せなくなるといった極めて深刻な不具合も発生し得る。
【０００４】
また、バッテリーが外れないまでも、衝撃や長期にわたる振動によってバッテリーとノートパソコン本体を電気的に接続する電力供給端子電極が瞬間にでも接触不良になれば（瞬時停電という）、ノートパソコン内の電気回路は正しく動作しなくなることもあり、最悪の場合には上記と同様な極めて深刻な事態に至る。従って、バッテリーとノートパソコン本体を電気的に接続するコネクタ端子電極における安定した接触を確保することは重要である。
【０００５】
以下に、一般に良く知られている従来のノートパソコンのバッテリーパックおよびバッテリーコネクタについて説明する。
【０００６】
図５はノートパソコンとバッテリーパックを示した図である。
【０００７】
図５において２１はノートパソコン２０の本体であり、２２はノートパソコン本体２１に収納可能なバッテリーパックである。バッテリーパックは近年、小型・高容量で軽量なリチウムイオン電池を核に構成されているものが多い。図５（ａ）（ｂ）の収納矢印方向に押し込むとバッテリーパック２２の端子電極とノートパソコン本体２１内のバッテリーコネクタ（図示せず、後述）とが接触して、バッテリーパック２２よりノートパソコン本体２１へ電力が供給され、ノートパソコン２０は起動可能となる。
【特許文献１】特開平５−３４４０４２号公報
【特許文献２】特開平１０−３０８１９９号公報
【特許文献３】特開２００１−１１８５５２号公報
【特許文献４】特開２００１−２６６８２４号公報
【発明の開示】
【発明が解決しようとする課題】
【０００８】
図６はバッテリーパックと、バッテリーパックとノートパソコン本体を接続するバッテリーコネクタ（以下、コネクタ）を模式的に示した図である。
【０００９】
図６において２２はバッテリーパック、２３は従来構成のコネクタ、２４はバッテリーパック側の端子電極、１３はコネクタ側の端子電極である。バッテリーパック端子電極２４、コネクタ端子電極１３は錆びにくい金属、あるいは錆びにくい金属メッキを施した抵抗値の低い金属で構成するのが好ましい。
【００１０】
図６（ａ）〜（ｃ）はバッテリーパック２２を側面から見た図、（ｄ）〜（ｆ）は上面から見た図、（ａ−２）ははバッテリーパック２２を端子側から見た図、（ｄ−２）、（ｅ−２）、（ｆ−２）は図（ｄ−１）、（ｅ−１）、（ｆ−１）それぞれの破線部の拡大図である。
【００１１】
バッテリーパック側の複数の端子電極２４は電力供給する＋（プラス）および−（マイナス）、その他電池の様々な電気的な情報を伝達する端子電極であり、コネクタ２３側の複数の端子電極１３の各端子電極に対応する。
【００１２】
また、コネクタ端子側の複数の端子電極１３はノートパソコン本体２１の主に電源回路と各電気回路に接続されている。
【００１３】
以上のように構成された従来のバッテリーパックとコネクタについて、以下その詳細について図６を用いて説明する。
【００１４】
図６（ａ）（ｄ）では破線に沿ってバッテリーパック２２とコネクタ２３は一直線に並んでいるので、バッテリーパック端子電極２４とコネクタ端子電極１３は正しく接続されている。しかし、バッテリーパック２２と本体のバッテリーパック収容部（図示せず）にわずかな隙間があると衝撃や長期にわたる振動によって（ｂ）、（ｃ）、（ｅ）、（ｆ）のようにバッテリーパック２２に沿った破線とコネクタ２３に沿った破線にズレが生じる。（バッテリーパック端子電極２４の中心線である破線とコネクタ端子電極１３の中心線である破線とが一致しない。）バッテリーパック２２を本体の収容部にスムーズに収納するには多少なりいわゆる遊びとしての隙間は存在する。これは、バッテリーパック端子電極２４とコネクタ端子電極１３との接続が不十分で瞬間的であれ接触不良になる可能性が高くなる。接触不良が瞬間的でも発生すれば、上述のように最悪の場合、内蔵ＨＤＤ内のシステムプログラムやデータが破壊されノートパソコンが正しく動作しない、あるいはＨＤＤ内のデータを読み出せなくなるといった深刻な事態となる。
【００１５】
また、上述したようにバッテリーパック２２を本体の収容部にスムーズに収納するには、挿入口を含めバッテリーパック２２、収容部の間に隙間が存在する。さらに、バッテリーパック２２あるいはバッテリーパック収容部の寸法ばらつきによっては、バッテリーパック挿入方向に対して垂直な面方向（３次元空間において挿入方向をＺ軸とするとＸ−Ｙ面方向）に挿入方向がずれるためにバッテリーパック２２の装着がスムーズにできないといった課題もある。
【００１６】
本発明は上記従来の問題点を解決するもので、パソコン本体に加わる衝撃や長期にわたる振動によってもバッテリーパック端子電極とコネクタ端子電極との安定した接続を確保することができるバッテリーコネクタを提供することを目的とする。
【００１７】
合わせて、バッテリーパックと収容部の隙間、あるいはバッテリーパック、バッテリーパック収容部の寸法ばらつきがあってもバッテリーパックをスムーズに装着できるバッテリーコネクタを提供することを目的とする。
【課題を解決するための手段】
【００１８】
本発明の請求項１に記載の発明は、携帯型情報処理装置に電力供給するバッテリーまたはバッテリーパックとを接続するバッテリーコネクタであって、前記バッテリーまたはバッテリーパックと前記携帯型情報処理装置本体の電気回路とを電気的に接続するためのコネクション部と、前記コネクション部を支持し、当該コネクション部を前記バッテリーコネクタの取り付け面に対して可動する構造を有する可動部と、から成ることを特徴とするバッテリーコネクタとしたものであり、バッテリーパック端子電極と接続するバッテリーコネクタのフローティング作用、センタリング作用によって、パソコン本体に加わる衝撃や長期にわたる振動によってもバッテリーパック端子電極とバッテリーコネクタ端子電極との安定した接続を確保することができる。また、バッテリーパックと収容部の隙間、あるいはバッテリーパック、バッテリーパック収容部の寸法ばらつきがあってもフローティング作用によってバッテリーパックをスムーズに装着でき、装着後もバッテリーパックはセンタリング作用によって正しい位置に戻るという作用を有する。
【発明の効果】
【００１９】
以上のように本発明は、バッテリーパック端子電極と接続するバッテリーコネクタのフローティング作用によって、パソコン本体に加わる衝撃や長期にわたる振動によってもバッテリーパック端子電極とバッテリーコネクタ端子電極との安定した接続を確保することができるという優れた効果が得られる。
【００２０】
また、バッテリーパックと収容部の隙間、あるいはバッテリーパック、バッテリーパック収容部の寸法ばらつきがあってもフローティング作用によってバッテリーパックをスムーズに装着でき、装着後もバッテリーパックはセンタリング作用によって正しい位置に戻る。
【発明を実施するための最良の形態】
【００２１】
以下、本発明の実施の形態について、図１から図２を用いて説明する。
【００２２】
（実施の形態１）
図１（ａ）は本発明のバッテリーコネクタとバッテリーパックを接続した斜視図であり、（ｂ）は接続部分の拡大図である。
【００２３】
図２（ａ）は本発明のバッテリーコネクタよりバッテリーパックを離脱した図、（ｂ）はバッテリーコネクタの取り付け部分の拡大図である。
【００２４】
図３は本発明のバッテリーコネクタの分解斜視図である。
【００２５】
図１〜図３において１１は本発明のバッテリーコネクタ１０のバッテリーパックとノートパソコン本体の電気回路とを電気的に接続するためのコネクション部、１２はコネクション部１１の穴部を通してコネクション部１１を支持する軸部であり、軸部１２は１２−１（Ａ），１２−２（Ｂ）の部品から構成される。１３はコネクタ端子電極、１４はノートパソコンの本体に取り付いて軸部１２を支持する弾性体部である。１５は軸部１２によってコネクション部１１を取り付ける取り付けベースであり、取り付けベース１５によってノートパソコン本体内側の筐体、またはシャーシに取り付けられる。
【００２６】
図４はバッテリーパックとバッテリーコネクタを模式的に示した図である。
【００２７】
図４において１０はバッテリーコネクタ、１１はコネクション部、１２は軸部、１３はコネクタ端子電極、１４は弾性体部、２２はバッテリーパックである。
【００２８】
以上のように構成されたバッテリーコネクタについて、図１〜図４を用いてその詳細を説明する。
【００２９】
図１〜図３において、コネクション部１１は軸部１２、弾性体部を介して取り付けベース１５に取り付けられ、さらに取り付けベース１５を介して本発明のバッテリーコネクタ１０はノートパソコン本体部内部に取り付けられ、バッテリーコネクタの各端子電極１３はノートパソコン本体の主に電源回路と各電気回路に接続されている。軸部１２は取り付けベース１５またはノートパソコン本体部に対して固定されているが、軸部１２と取り付けベース１５によって挟持された弾性体部１４の弾性によりコネクション部１１は取り付けベース１５またはノートパソコン本体部に対して自在に可動する。すなわち、軸部１２、弾性体部１４と取り付けベース１５との組み合わせによって、コネクション部１１がノートパソコン本体部に対して自在に可動する可動部を構成し、これによりコネクション部１１は図２矢印のように自在に可動するフローティング状態のコネクタ１０として動作する。
【００３０】
図３にバッテリーコネクタの分解斜視図を示すが、バッテリーコネクタ１０の組立は、まず取り付けベース１５の図３左方向の面穴より一対の軸部Ｂ１２−２を挿入し、さらに取り付けベース１５挿入後の軸部Ｂ１２−２に弾性体部１４、コネクション部１１の順に挿入し、最後に軸部Ａ１２−１を軸部Ｂ１２−２に嵌合させ、固定して組立が完了する。なお、軸部Ａ１２−１を軸部Ｂ１２−２に嵌合させるとしたが、軸部Ａ１２−１、軸部Ｂ１２−２に締結可能にネジ部を形成して、組立て固定するようにしても良い。また、取り付けベースまたは弾性体部には軸部が充分貫通可能な径の穴部が形成されているものとする。
【００３１】
図４（ｂ）（ｃ）では図６（ｂ）（ｃ）の場合とは異なり、このフローティングコネクタ１０の作用によってバッテリーパック２２がノートパソコンへの衝撃や長期にわたる振動によって破線のように傾いても、フローティングコネクタ１０が傾きに追従するのでコネクタ端子電極１３とバッテリーパック端子電極２４の安定した接続を確保することができる。
【００３２】
また、衝撃や振動のような外力が加わらない図４（ａ）の状態では、左右２個対象に配置された軸部１２と、取り付けベース１５によって挟持され、同様に左右２個対象に配置された弾性体部１４との作用によりコネクション部１１は可動する範囲の中心に位置するよう動作する（センタリング作用）。
【００３３】
このように本発明であるバッテリーコネクタ１０の持つフローティング作用とセンタリング作用によりが操作者にとって見えないノートパソコン本体内にあっても、図５（ａ）（ｂ）のように収納矢印方向に押し込むことでバッテリーパック２２とバッテリーコネクタ１０とはスムーズに接続可能となる。
【００３４】
つまり、バッテリーパック２２と収容部の隙間、あるいはバッテリーパック２２、バッテリーパック収容部それぞれに寸法ばらつきがあってバッテリーパック挿入方向に対して垂直な面方向にずれが生じた場合、まず、バッテリーパック側の端子電極２４はバッテリーパック２２、バッテリーパック収容部それぞれに形成されたガイド（詳しくは図示、説明せず）によってコネクタ端子電極１３付近にまで導かれ、さらにコネクション部１１がその自在に可動するフローティング作用により、バッテリーパック２２と収容部の隙間、上記で生じた寸法ばらつきによってずれた位置に迎えに行き、確実に接続される。また、接続後もセンタリング作用によりコネクション部１１、バッテリーパック２２は正しい位置に戻される。
【００３５】
このように「迎えに行く」というフローティング作用、「戻される」というセンタリング作用によってバッテリーパック２２の装着をスムーズに行うことができ、また装着後も正しい位置に装着される。
【００３６】
また、バッテリーパック接続後もノートパソコンに振動や衝撃のような負荷がかかってもコネクション部１１自体がバッテリーパック２２と共に振動してバッテリーパック側の端子電極２４自体に負荷がかからず（フローティング）、振動が終わると正しい位置に戻ることができる（センタリング）。また、バッテリーパック離脱の後でもセンタリング作用により次のバッテリーパック装着時に迎えに行く位置（デフォルト位置）に戻る。
【００３７】
以上のように本実施の形態によれば、バッテリーパック端子電極と接続するフローティングコネクタのフローティング作用およびセンタリング作用によって、パソコン本体に加わる衝撃や長期にわたる振動によってもバッテリーパック端子電極とフローティングコネクタ端子電極との安定した接続を確保することができる。
【００３８】
また、バッテリーパックと収容部の隙間、あるいはバッテリーパック、バッテリーパック収容部の寸法ばらつきがあってもフローティング作用によってバッテリーパックをスムーズに装着でき、装着後もバッテリーパックはセンタリング作用によって正しい位置に戻る。
【００３９】
なお、本実施の形態では、軸部１２と取り付けベース１５によって挟持された弾性体部１４の作用でコネクション部１１が自在に可動する可動部によってフローティングコネクタを実現しているが、これに限ることはなく、取り付けベース１５と軸部Ｂ１２−２との間に弾性体１４を挟持し、さらに取り付けベース１５の軸部Ｂ１２−２を通す穴部を広くすることで軸部１２が自在に可動する可動部を構成しても良い。
【００４０】
また、軸１２自体を弾性体として可動部を形成してもよい。例えば軸部１２のような略円筒形状に成型したゴム材質のもの、円筒状のコイルバネのようなものであっても良い。すなわち、コネクション部を支持するものに対してコネクション部が自在に可動するような構成であればいずれの構成であってもよい。
【産業上の利用可能性】
【００４１】
本発明にかかるバッテリーコネクタは、バッテリーパック端子電極と接続するフローティング作用によって、パソコン本体に加わる衝撃や長期にわたる振動によってもバッテリーパック端子電極とフローティングコネクタ端子電極との安定した接続を確保することができる。
【００４２】
また、バッテリーコネクタのフローティング作用によってバッテリーパックをスムーズに装着でき、装着後もバッテリーパックはセンタリング作用によって正しい位置に戻るといった作用、効果を有し、ノートパソコンのような携帯型の情報処理装置に電力供給するバッテリーパックとを接続するバッテリーコネクタ等として有用である。
【図面の簡単な説明】
【００４３】
【図１】（ａ）は本発明のバッテリーコネクタとバッテリーパックを接続した斜視図、（ｂ）は接続部分の拡大図
【図２】（ａ）は本発明のバッテリーコネクタよりバッテリーパックを離脱した図、（ｂ）はバッテリーコネクタの取り付け部分の拡大図
【図３】本発明のバッテリーコネクタの分解斜視図
【図４】バッテリーパックとバッテリーコネクタを模式的に示した図
【図５】ノートパソコンとバッテリーパックを示した図
【図６】バッテリーパックとノートパソコン本体を接続するバッテリーコネクタを模式的に示した図
【符号の説明】
【００４４】
１０  バッテリーコネクタ
１１  コネクション部
１２  軸部
１３  コネクタ端子電極
１４  弾性体部
１５  取り付けベース
２０  ノートパソコン
２１  ノートパソコンの本体
２２  バッテリーパック
２３  従来構成のコネクタ
２４  バッテリーパック側の端子電極
【図１】
2008097961.tif 000003
【図２】
2008097961.tif 000004
【図３】
2008097961.tif 000005
【図４】
2008097961.tif 000006
【図５】
2008097961.tif 000007
【図６】
2008097961.tif 000008